(57)【要約】【課題】極めて簡単な操作で毛穴に薬液を浸透させ、家庭でも手軽に取り扱えるようにした育毛・発毛用真空含浸具を提供する。【解決手段】育毛・発毛用真空含浸具１０は、吸盤１２と伸縮ポンプ１３とを備える。吸盤１２の吸着室Ｓ１は通気孔Ｈ１でポンプ室Ｓ２に連通し、ポンプ室Ｓ２は伸縮ポンプ１３の通気孔Ｈ２により外気に開放されている。通気孔Ｈ２の開口部には、弁体１８が隙間を保ってバネ板１７（バネ材）により支持される。弁体１８は、頭皮に吸盤１２を叩き付けるときの弁体１８の慣性力によりバネ板１７の付勢力に逆らって通気孔Ｈ２を閉じ、かつ、頭皮から吸盤１２を引き上げるときのバネ板１７の復元力により通気孔Ｈ２を開く。弁体１８の開閉動作に伴って、頭皮と吸盤と間の密閉室（吸着室Ｓ１）の減圧状態が瞬間的に開放されるため、頭皮の毛穴に薬液を吸い込ませることができる。【特許請求の範囲】
【請求項１】
基部とスカート部とからなる吸盤を有し、この吸盤の基部またはその周辺部に、吸盤の内側と外側とを貫通する通気孔を備えた育毛・発毛用真空含浸具において、
前記吸盤の外側であって前記通気孔の開口部に設けられる弁体と、
前記通気孔を開閉可能に前記弁体を支持するバネ材とを備え、
前記弁体は、前記頭皮に前記吸盤を叩き付けるときの前記弁体の慣性力により前記バネ材の付勢力に逆らって前記通気孔を閉じ、かつ、前記頭皮から前記吸盤を引き上げるときの前記バネ材の復元力により前記通気孔を開くことを特徴とする、育毛・発毛用真空含浸具。
【請求項２】
請求項１記載の育毛・発毛用真空含浸具の構成を有するものであって、
前記通気孔を介して前記密閉空間に連通する伸縮ポンプを備えており、
前記伸縮ポンプは、前記頭皮に前記吸盤を叩き付けるときの前記伸縮ポンプの慣性力により縮んで前記密閉空間に圧縮空気を送り、かつ、前記頭皮から前記吸盤を引き上げるときの前記伸縮ポンプの復元力によって前記密閉空間の空気を吸い出すことを特徴とする、育毛・発毛用真空含浸具。
【請求項３】
請求項２記載の育毛・発毛用真空含浸具の構成を有するものであって、
薬液貯留器と、
この薬液貯留器の薬液を前記通気孔に導く連結パイプとを備えており、
前記通気孔に開口する前記連結パイプの先端部には、前記伸縮ポンプの圧縮空気により前記密閉空間に向けて薬液を吐出可能な薬液ノズルが設けられることを特徴とする、育毛・発毛用真空含浸具。
【請求項４】
基部とスカート部とからなる吸盤を有し、この吸盤の基部またはその周辺部に、吸盤の内側と外側とを貫通する通気孔を備えた育毛・発毛用真空含浸具において、
前記通気孔を介して前記密閉空間に連通する伸縮ポンプを備えており、
前記伸縮ポンプは、前記頭皮に前記吸盤を叩き付けるときの前記伸縮ポンプの慣性力により縮んで前記密閉空間に圧縮空気を送り、かつ、前記頭皮から前記吸盤を引き上げるときの前記伸縮ポンプの復元力によって前記密閉空間の空気を吸い出すことを特徴とする、育毛・発毛用真空含浸具。
【請求項５】
請求項４記載の育毛・発毛用真空含浸具の構成を有するものであって、
薬液貯留器と、
この薬液貯留器の薬液を前記通気孔に導く連結パイプとを備えており、
前記通気孔に開口する前記連結パイプの先端部には、前記伸縮ポンプの圧縮空気により前記密閉空間に向けて薬液を吐出可能な薬液ノズルが設けられることを特徴とする、育毛・発毛用真空含浸具。
【請求項６】
基部とスカート部とからなる吸盤を有し、この吸盤の基部またはその周辺部に、吸盤の内側と外側とを貫通する通気孔を備えることを特徴とする、経皮吸収用真空含浸具。
【請求項７】
基部とスカート部とからなる吸盤を有し、この吸盤の基部またはその周辺部に、吸盤の内側と外側とを貫通する通気孔を備えた経皮吸収用真空含浸具であって、
前記吸盤の外側であって前記通気孔の開口部に設けられる弁体と、
前記通気孔を開閉可能に前記弁体を支持するバネ材とを備え、
前記弁体は、前記頭皮に前記吸盤を叩き付けるときの前記弁体の慣性力により前記バネ材の付勢力に逆らって前記通気孔を閉じ、かつ、前記頭皮から前記吸盤を引き上げるときの前記バネ材の復元力により前記通気孔を開くことを特徴とする、経皮吸収用真空含浸具。
【請求項８】
請求項７記載の経皮吸収用真空含浸具の構成を有するものであって、
前記通気孔を介して前記密閉空間に連通する伸縮ポンプを備えており、
前記伸縮ポンプは、前記頭皮に前記吸盤を叩き付けるときの前記伸縮ポンプの慣性力により縮んで前記密閉空間に圧縮空気を送り、かつ、前記頭皮から前記吸盤を引き上げるときの前記伸縮ポンプの復元力によって前記密閉空間の空気を吸い出すことを特徴とする、経皮吸収用真空含浸具。
【請求項９】
請求項８記載の経皮吸収用真空含浸具の構成を有するものであって、
薬液貯留器と、
この薬液貯留器の薬液を前記通気孔に導く連結パイプとを備えており、
前記通気孔に開口する前記連結パイプの先端部には、前記伸縮ポンプの圧縮空気により前記密閉空間に向けて薬液を吐出可能な薬液ノズルが設けられることを特徴とする、経皮吸収用真空含浸具。
【請求項１０】
基部とスカート部とからなる吸盤を有し、この吸盤の基部またはその周辺部に、吸盤の内側と外側とを貫通する通気孔を備えた経皮吸収用真空含浸具であって、
前記通気孔を介して前記密閉空間に連通する伸縮ポンプを備えており、
前記伸縮ポンプは、前記頭皮に前記吸盤を叩き付けるときの前記伸縮ポンプの慣性力により縮んで前記密閉空間に圧縮空気を送り、かつ、前記頭皮から前記吸盤を引き上げるときの前記伸縮ポンプの復元力によって前記密閉空間の空気を吸い出すことを特徴とする、経皮吸収用真空含浸具。
【請求項１１】
請求項１０記載の経皮吸収用真空含浸具の構成を有するものであって、
薬液貯留器と、
この薬液貯留器の薬液を前記通気孔に導く連結パイプとを備えており、
前記通気孔に開口する前記連結パイプの先端部には、前記伸縮ポンプの圧縮空気により前記密閉空間に向けて薬液を吐出可能な薬液ノズルが設けられることを特徴とする、経皮吸収用真空含浸具。
【発明の詳細な説明】
【技術分野】
【０００１】
本発明は、育毛・発毛用真空含浸具に関し、詳しくは、毛穴に薬液を浸透させるのに適した育毛・発毛用真空含浸具するものである。本発明による真空含浸具は、医薬品や化粧品等の薬液を皮膚に浸透させるための経皮吸収用真空含浸具として用いることもできる。
【背景技術】
【０００２】
従来、通気孔付きの吸盤を用いて頭皮の毛穴に薬液を浸透させるようにした育毛・発毛用真空含浸具が知られている（特許文献１，２参照）。この種の真空含浸具は、円形の基部とその外周のスカート部とからなる吸盤を有しており、その基部に吸盤の内側と外側とを貫通する通気孔が設けられる。
真空含浸具を使用する場合、あらかじめ頭皮に薬液を塗布しておき、通気孔を手で塞いで、頭皮に吸盤を押し当てて吸着させる。その後、この吸盤を引き上げると、頭皮と吸盤との間の密閉空間が減圧され、毛穴から空気が吸い出された状態になる。その後、通気孔から手を引き離すと、外気が吸盤の内側に入り込み、頭皮の吸着状態（減圧状態）が瞬時に開放される。この減圧開放に伴って毛穴が元の状態に戻り、吸盤内側の薬液が毛穴に入り込む。【０００３】
【特許文献１】特許第３１６０１８４号公報
【特許文献２】特許第２８１８９３５号公報
【発明の開示】
【発明が解決しようとする課題】
【０００４】
しかしながら、このような従来の育毛・発毛用真空含浸具は、通気孔の開閉を手動で行うため、操作が面倒になりやすい。また、吸盤の吸着力が弱いために頭皮の減圧状態を十分に高めることができないことがある。さらに、操作法を十分に理解しないで含浸具を取り扱うと、通気孔の開閉タイミングを誤って、薬液が毛穴に効果的に入らないことも起こりうる。
一方、専用の育毛・発毛用真空含浸装置によって施術を受けるためにサロン等に通うのは、手間や費用が嵩むために倦厭されやすい。【０００５】
本発明は、このような現状に鑑みなされたもので、簡単な操作で毛穴に効率よく薬液を浸透させることができ、家庭でも手軽に取り扱えるようにした育毛・発毛用真空含浸具を提供することを目的としている。
【課題を解決するための手段】
【０００６】
［第１発明］
前記課題を解決するための本発明（第１発明）の育毛・発毛用真空含浸具は、
基部とスカート部とからなる吸盤を有し、この吸盤の基部またはその周辺部に、吸盤の内側と外側とを貫通する通気孔を備えた育毛・発毛用真空含浸具において、
前記吸盤の外側であって前記通気孔の開口部に設けられる弁体と、
前記通気孔を開閉可能に前記弁体を支持するバネ材とを備え、
前記弁体は、前記頭皮に前記吸盤を叩き付けるときの前記弁体の慣性力により前記バネ材の付勢力に逆らって前記通気孔を閉じ、かつ、前記頭皮から前記吸盤を引き上げるときの前記バネ材の復元力により前記通気孔を開くことを特徴としている。【０００７】
本発明（第１発明）の育毛・発毛用真空含浸具によれば、頭皮に薬液を塗布して吸盤を叩き付けると、吸盤が頭皮に当たって止まった瞬間に、慣性力によって通気孔が弁体で閉じられ、頭皮と吸盤との間に一時的に密閉空間が形成される。吸盤が頭皮に当たった直後、その反動を利用して頭皮から吸盤を引き上げると、密閉空間が吸引されて減圧状態となり、頭皮の毛穴が縮んだ状態になる。その後、バネ材の復元力により弁体が通気孔から離れると、通気孔から密閉空間に外気が入り込んでその気圧が瞬時に上昇し、同時に頭皮の毛穴に薬液が吸い込まれる。
このように本発明（第１発明）によれば、吸盤で頭皮を叩く動作に伴って弁体とバネ材が適切なタイミングで自動的に通気孔の開閉を行い、真空含浸のための密閉空間の圧力コントロールを行う。これにより、ヘヤーキャップ等を使用する専用の育毛・発毛用真空含浸装置を用いることなく、簡単な操作で確実に頭皮の毛穴に薬液を浸透させることができる。【０００８】
なお、本発明（第１発明）において、通気孔の位置を「吸盤の基部またはその周辺部」としたのは、これらの部分は吸盤の使用時に弾性変形しにくく、通気孔の開閉が行いやすいからである。基部の周辺部にはスカート部の付け根部分を含む。後述する他の発明についても同様の理由で吸盤の基部またはその周辺部に通気孔を設ける構成とした。【０００９】
［第２発明］
本発明（第２発明）による育毛・発毛用真空含浸具は、前記第１発明の育毛・発毛用真空含浸具の構成を有するものであって、
前記通気孔を介して前記密閉空間に連通する伸縮ポンプを備えており、
前記伸縮ポンプは、前記頭皮に前記吸盤を叩き付けるときの前記伸縮ポンプの慣性力により縮んで前記密閉空間に圧縮空気を送り、かつ、前記頭皮から前記吸盤を引き上げるときの前記伸縮ポンプの復元力によって前記密閉空間の空気を吸い出すことを特徴としている。【００１０】
本発明（第２発明）によれば、頭皮に吸盤を叩き付けると、頭皮に吸盤が当たった瞬間に伸縮ポンプがその慣性力で縮んで頭皮と吸盤との間の密閉空間に圧縮空気を送る。この圧縮空気は、頭皮に適度な刺激を与え、マッサージ効果を促す。
一方、頭皮から吸盤を引き上げる際には、伸縮ポンプは、縮んだ状態から元の状態に戻ろうとするため、この復元力によって吸盤の密閉空間の空気を吸い出す。この結果、密閉空間の減圧度を高めることができ、減圧開放時に頭皮の毛穴に薬液を吸い込ませやすくする。【００１１】
［第３発明］
本発明（第３発明）の育毛・発毛用真空含浸具は、前記第２発明の育毛・発毛用真空含浸具の構成を有するものであって、
薬液貯留器と、
この薬液貯留器の薬液を前記通気孔に導く連結パイプとを備えており、
前記通気孔に開口する前記連結パイプの先端部には、前記伸縮ポンプの圧縮空気により前記密閉空間に向けて薬液を吐出可能な薬液ノズルが設けられることを特徴としている。【００１２】
前述した従来の通気孔付き吸盤（特許文献１，２）を使用する場合、あらかじめ頭皮に薬液を塗布しておき、薬液の塗布部分に吸盤を当てる。すなわち、使用者が自分で薬液を頭皮に浸ける作業が必要で、使用者の手が汚れる、塗布量にバラツキが生じるなどの不都合がある。【００１３】
本発明（第３発明）では、吸盤で頭皮を叩く動作に伴って伸縮ポンプが通気孔に圧縮空気を送り、この圧縮空気流によって薬液ノズルから通気孔に薬液を吐出させることができる。
この結果、通気孔を介して頭皮の密閉空間に薬液を送ることが可能になり、あらかじめ頭皮に薬液を塗る手間や、使用者の手が薬液で汚れるといった不都合を解消することができる。また、伸縮ポンプの圧縮空気により薬液ノズルから薬液を吐出させるため、その薬液の量についてもバラツキが少なく、適量を確保しやすくなる。【００１４】
［第４発明］
前記課題を解決するための本発明（第４発明）の育毛・発毛用真空含浸具は、
基部とスカート部とからなる吸盤を有し、この吸盤の基部またはその周辺部に、吸盤の内側と外側とを貫通する通気孔を備えた育毛・発毛用真空含浸具において、
前記通気孔を介して前記密閉空間に連通する伸縮ポンプを備えており、
前記伸縮ポンプは、前記頭皮に前記吸盤を叩き付けるときの前記伸縮ポンプの慣性力により縮んで前記密閉空間に圧縮空気を送り、かつ、前記頭皮から前記吸盤を引き上げるときの前記伸縮ポンプの復元力によって前記密閉空間の空気を吸い出すことを特徴としている。【００１５】
本発明（第４発明）によれば、頭皮に吸盤を押し付ける動作に伴って伸縮ポンプが縮んで頭皮と吸盤との間の密閉空間に圧縮空気を送る。この圧縮空気は、頭皮に適度な刺激を与え、マッサージ効果を促す。
一方、頭皮から吸盤を引き上げる際に、伸縮ポンプを引っ張って縮んだ状態から元の状態に戻すため、この復元力で密閉空間の空気を吸い出して、密閉空間の減圧効果を高めることができる。この結果、減圧開放時に密閉空間の気圧変化がより大きくなり、頭皮の毛穴に薬液を吸い込ませやすくなる。【００１６】
［第５発明］
本発明（第５発明）の育毛・発毛用真空含浸具は、前記第４発明の育毛・発毛用真空含浸具の構成を有するものであって、
薬液貯留器と、
この薬液貯留器の薬液を前記通気孔に導く連結パイプとを備えており、
前記通気孔に開口する前記連結パイプの先端部には、前記伸縮ポンプの圧縮空気により前記密閉空間に向けて薬液を吐出可能な薬液ノズルが設けられることを特徴としている。【００１７】
本発明（第５発明）の育毛・発毛用真空含浸具の構成によれば、吸盤で頭皮を押し付ける動作に伴って伸縮ポンプの圧縮空気流を発生させ、この圧縮空気により薬液ノズルから薬液を密閉空間に向けて吐出させる。
この結果、前記第３発明と同様に、育毛・発毛用真空含浸具を使用する際に、頭皮に薬液を塗布する手間を省くことができ、使用者の手が薬液で汚れにくくなる。また、密閉空間へ送り込むの薬液の量についてもバラツキが少なく、適量を確保しやすくなる。【００１８】
［第１〜５発明］
本発明（第１〜５発明）の育毛・発毛用真空含浸具は、頭皮の育毛・発毛促進を目的として用いることが望ましいが、適用対象は頭皮に限られることはなく、身体の他の部位にも適用することもできる。【００１９】
本発明（第１〜５発明）の育毛・発毛用真空含浸具に用いる育毛・発毛用薬液については、特に限定されないず、市販の液状製品を使用することができる。薬液に配合しうる有効成分としては、例えば、パントテン酸カルシウム、ビタミンＡアセテート、パントデニルアルコール、塩酸ピリドキシン、アミノ酸類（メチオニン、セリン）、酢酸α−トコフェロール、塩化カルプロニウム、スウェルチノーゲン（センブリエキス）、トウガラシチンキ、ニコチン酸ベンジル、ノニル酸バニリルアミド、ｌ−メントール、朝鮮人参、女性ホルモン（エチニルエストラジオール、ジプロピオン酸エストラジオール）、ペンタデカン酸グリセリド（ＰＤＧ）、ミノキシジル、セファランチン、ｔ−フラバノン、６−ベンジルアミノプリン等が挙げられる。【００２０】
本発明（第１〜５発明）は、必要に応じて単独で適用してもよいし、各発明を組み合わせて適用してもよい。また、本明細書に記載される他の発明を組み合わせて適用することもできる。【００２１】
［第６発明］
前述の第１〜５発明に係る育毛・発毛用真空含浸具は、頭皮等の毛穴に育毛・発毛用の薬液を浸透させるのに適したものであるが、後述する試験例（皮膚浸透性試験）から明らかなように、本発明による真空含浸具は、医薬品や化粧品等の薬液を毛穴を介さずに直接皮膚に浸透させることもできる。すなわち、第１〜５発明と同様な構成の真空含浸具は、薬液に含まれる有効成分の経皮吸収を促進する器具（経皮吸収用真空含浸具）として利用することも可能である。【００２２】
本発明者らの実験によれば、皮膚に薬液を浸透させるには、皮膚と吸盤との間の密閉空間に薬液を介在させた状態で減圧開放を繰り返すことが有効であることが明らかとなった。このような実験結果より、経皮投与を目的とした真空含浸具の構成としては、従来の育毛・発毛用真空含浸具の構成と同じく、少なくとも、基部とスカート部からなる吸盤であって、この吸盤の基部またはその周辺部に吸盤の内側と外側とを貫通する通気孔を有する構成であればよい。そして、前述の第１〜５発明の構成をそのまま採用することもできる。【００２３】
すなわち、本発明（第６発明）の経皮吸収用真空含浸具は、基部とスカート部とからなる吸盤を有し、この吸盤の基部またはその周辺部に、吸盤の内側と外側とを貫通する通気孔を備えることを特徴とする。【００２４】
［第７発明］
本発明（第７発明）の経皮吸収用真空含浸具は、基部とスカート部とからなる吸盤を有し、この吸盤の基部またはその周辺部に、吸盤の内側と外側とを貫通する通気孔を備えた経皮吸収用真空含浸具であって、
前記吸盤の外側であって前記通気孔の開口部に設けられる弁体と、
前記通気孔を開閉可能に前記弁体を支持するバネ材とを備え、
前記弁体は、前記頭皮に前記吸盤を叩き付けるときの前記弁体の慣性力により前記バネ材の付勢力に逆らって前記通気孔を閉じ、かつ、前記頭皮から前記吸盤を引き上げるときの前記バネ材の復元力により前記通気孔を開くことを特徴とする。【００２５】
［第８発明］
本発明（第８発明）による経皮吸収用真空含浸具は、前記第７発明の経皮吸収用真空含浸具の構成を有するものであって、
前記通気孔を介して前記密閉空間に連通する伸縮ポンプを備えており、
前記伸縮ポンプは、前記頭皮に前記吸盤を叩き付けるときの前記伸縮ポンプの慣性力により縮んで前記密閉空間に圧縮空気を送り、かつ、前記頭皮から前記吸盤を引き上げるときの前記伸縮ポンプの復元力によって前記密閉空間の空気を吸い出すことを特徴とする。【００２６】
［第９発明］
本発明（第９発明）の経皮吸収用真空含浸具は、前記第８発明の経皮吸収用真空含浸具の構成を有するものであって、
薬液貯留器と、
この薬液貯留器の薬液を前記通気孔に導く連結パイプとを備えており、
前記通気孔に開口する前記連結パイプの先端部には、前記伸縮ポンプの圧縮空気により前記密閉空間に向けて薬液を吐出可能な薬液ノズルが設けられることを特徴とする。【００２７】
［第１０発明］
本発明（第１０発明）の経皮吸収用真空含浸具は、
基部とスカート部とからなる吸盤を有し、この吸盤の基部またはその周辺部に、吸盤の内側と外側とを貫通する通気孔を備えた経皮吸収用真空含浸具であって、
前記通気孔を介して前記密閉空間に連通する伸縮ポンプを備えており、
前記伸縮ポンプは、前記頭皮に前記吸盤を叩き付けるときの前記伸縮ポンプの慣性力により縮んで前記密閉空間に圧縮空気を送り、かつ、前記頭皮から前記吸盤を引き上げるときの前記伸縮ポンプの復元力によって前記密閉空間の空気を吸い出すことを特徴とする。【００２８】
［第１１発明］
本発明（第１１発明）の経皮吸収用真空含浸具は、前記第１０発明の経皮吸収用真空含浸具の構成を有するものであって、
薬液貯留器と、
この薬液貯留器の薬液を前記通気孔に導く連結パイプとを備えており、
前記通気孔に開口する前記連結パイプの先端部には、前記伸縮ポンプの圧縮空気により前記密閉空間に向けて薬液を吐出可能な薬液ノズルが設けられることを特徴とする。【００２９】
［第６〜１１発明］
本発明（第６〜１１発明）において、皮膚に対する薬液の浸透作用については、第５〜１１発明と同様に、皮膚と吸盤との密閉空間における圧力変化が関係している。すなわち、皮膚表面の吸引と開放を繰り返すことで、皮膚角質層の微細な隙間に薬液成分が入り込みやすくなるものと考えられる。
本発明（第６〜１１発明）は、必要に応じて単独で適用してもよいし、各発明を組み合わせて適用してもよい。また、本明細書に記載される他の発明を組み合わせて適用することもできる。
【図面の簡単な説明】
【００３０】
【図１】本発明の第１実施形態の育毛・発毛用真空含浸具を示す側面図である。
【図２】同第１実施形態の育毛・発毛用真空含浸具の吸盤の構成を示す斜視図である。
【図３】同第１実施形態の育毛・発毛用真空含浸具の吸盤の構成を示す平面図である。
【図４】同第１実施形態の育毛・発毛用真空含浸具の吸盤の構成を示す断面図である。
【図５】同第１実施形態の育毛・発毛用真空含浸具の作用を示すもので、頭皮に吸盤を叩き付ける前の状態を示す断面図である。
【図６】同第１実施形態の育毛・発毛用真空含浸具の作用を示すもので、頭皮に吸盤を叩き付けた直後の状態を示す断面図である。
【図７】同第１実施形態の育毛・発毛用真空含浸具の作用を示すもので、頭皮から吸盤を引き上げる状態を示す断面図である。
【図８】同第１実施形態の育毛・発毛用真空含浸具の作用を示すもので、頭皮と吸盤との間の密閉空間が減圧開放される状態を示す断面図である。
【図９】本発明の第２実施形態の育毛・発毛用真空含浸具を示す側面図である。
【図１０】同第２実施形態の育毛・発毛用真空含浸具の作用を示すもので、頭皮に吸盤を叩き付ける前の状態を示す断面図である。
【図１１】同第２実施形態の育毛・発毛用真空含浸具の作用を示すもので、頭皮に吸盤を叩き付けた直後の状態を示す断面図である。
【図１２】同第２実施形態の育毛・発毛用真空含浸具の作用を示すもので、頭皮から吸盤を引き上げる状態を示す断面図である。
【図１３】同第２実施形態の育毛・発毛用真空含浸具の作用を示すもので、頭皮と吸盤との間の密閉空間が減圧開放される状態を示す断面図である。
【図１４】本発明の第３実施形態の育毛・発毛用真空含浸具を示す断面図である。
【図１５】本発明の第４実施形態の育毛・発毛用真空含浸具を示す断面図である。
【図１６】本発明の第５実施形態の育毛・発毛用真空含浸具の作用を示すもので、頭皮に吸盤を押し付ける前の状態を示す断面図である。
【図１７】同第５実施形態の育毛・発毛用真空含浸具の作用を示すもので、頭皮に吸盤を押し付けた直後の状態を示す断面図である。
【図１８】同第５実施形態の育毛・発毛用真空含浸具の作用を示すもので、頭皮から吸盤を引き上げる状態を示す断面図である。
【図１９】同第５実施形態の育毛・発毛用真空含浸具の作用を示すもので、頭皮と吸盤との間の密閉空間が減圧開放される状態を示す断面図である。
【図２０】同第６実施形態の経皮吸収用真空含浸具の作用を示すもので、頭皮に吸盤を押し付ける状態を示す断面図である。
【図２１】同第６実施形態の経皮吸収用真空含浸具の作用を示すもので、頭皮と吸盤との間の密閉空間が減圧開放された状態を示す断面図である。
【図２２】皮膚浸透性試験の結果を示すもので、電子顕微鏡写真のイメージ図である。
【符号の説明】
【００３１】
１０    育毛・発毛用真空含浸具
１２    吸盤
１３    伸縮ポンプ
１４    柄
１５    芯棒
１６    環状バンド
１７    バネ板（バネ材）
１８    弁体
１９    薬液貯留器
２０    連結パイプ
２０ａ  薬液ノズル
Ｓ１  吸着室（密閉空間）
Ｓ２  ポンプ室
Ｈ１，Ｈ２  通気孔
Ｔ    毛穴
【発明を実施するための最良の形態】
【００３２】
以下、本発明の実施の形態を図面に基づいて説明する。
［第１実施形態］
第１実施形態の育毛・発毛用真空含浸具を図１に示した。
育毛・発毛用真空含浸具１０は、吸盤１２の後端側（図１で上側）に伸縮ポンプ１３が設けられる。吸盤１２の側方には柄１４が取り付けられる。
柄１４には、鋼材からなる帯板状の芯棒１５が延びており、この芯棒１５の先端に環状バンド１６が固定される。吸盤１２の後端部に環状バンド１６がネジ等で締め付けられている。【００３３】
芯棒１５の途中には、バネ板１７が分岐して延びている。バネ板１７の先端部には、伸縮ポンプ１３の通気孔Ｈ２（図２および図３参照）を開閉可能な弁体１８が取り付けられる。
吸盤１２の側方には薬液貯留器１９が取り付けられており、薬液貯留器１９内の薬液が連結パイプ２０を通って吸盤１２の通気孔Ｈ１（図４参照）に供給されるようになっている。【００３４】
吸盤１２は、シリコン、ゴムなどの弾性材料からなるもので、図４に示すように、円柱状の基部２１にテーパ状のスカート部２２が連なっている。吸盤１２を頭皮に押し付けると、スカート部２２が拡がるように変形して頭皮に密着する。
図４に示すように、吸盤１２のほぼ中央には通気孔Ｈ１が貫通している。通気孔Ｈ１は、基部２１の中心軸方向に延び、スカート部２２内側の吸着室Ｓ１に通じる。【００３５】
伸縮ポンプ１３は、軟質樹脂材料からなるもので、蛇腹（ベローズ）形の筒部２５を伸縮させる構成になっている。筒部２５の下端は、吸盤１２の端面（図４で上側面）に気密に固定される。筒部２５の伸縮に伴ってポンプ室Ｓ２が拡大または縮小し、通気孔Ｈ１を通して吸着室Ｓ１の減圧または加圧を行う。
筒部２５の上側には蓋部２６が一体に形成されており、蓋部２６の中央に通気孔Ｈ２が形成される。すなわち、通気孔Ｈ２を通じてポンプ室Ｓ２に外気を取り入れ、またはポンプ室Ｓ２の空気を外部に排出することが可能になっている。【００３６】
図１に示すように、弁体１８は、通気孔Ｈ２の上側に若干の隙間を保ってバネ板１７によって支持されている。円盤状の弁体１８の外径は、通気孔Ｈ２よりも大きい（図３参照）。バネ板１７が静止状態にあると、弁体１８が通気孔Ｈ２から離れた位置にあるため、弁体１８は通気孔Ｈ２を開放状態に保つ。バネ板１７が撓んで弁体１８が蓋部２６に当たると、通気孔Ｈ２が閉じる。【００３７】
薬液貯留器１９の連結パイプ２０は、吸盤１２の側方に貫通して通気孔Ｈ１に突き出ている（図３参照）。通気孔Ｈ１に開口する連結パイプ２０の先端部には、通気孔Ｈ１に薬液を吐出する薬液ノズル２０ａが設けられる。
なお、薬液貯留器１９には、脱着可能なキャップ１９ａが取り付けられており（図２参照）、キャップ１９ａを取り外すことで、貯留器内に薬液を充填することができる。また、キャップ１９ａの蓋面には、吸気孔１９ｂが設けられる。貯留器の薬液が薬液ノズル２０ａから吐出する際に、吸気孔１９ｂから外気が貯留器内に吸い込まれるようになっている。【００３８】
次に、育毛・発毛用真空含浸具１０の使用方法について説明する。
まず、使用者は、薬液貯留器１９にあらかじめ必要な薬液を充填しておく。次いで、図５に示すように、柄１４を持って吸盤１２を頭皮に向けて構える。そして、柄１４を振り下ろして吸盤１２で頭皮を叩く。【００３９】
柄１４を構えた状態では、バネ板１７が静止しているため、弁体１８が通気孔Ｈ２から僅かな隙間を保って浮いた状態にある。すなわち、通気孔Ｈ２が開放状態にある。
図６に示すように、頭皮に吸盤１２を叩き付けると、吸盤１２が頭皮に当たった瞬間に、バネ板１７と弁体１８が慣性力により通気孔Ｈ２側へ撓むため、弁体１８が通気孔Ｈ２を塞ぐ。このとき、吸着室Ｓ１とポンプ室Ｓ２とが外気から遮断され、密閉された状態（密閉空間）になる。そして、この状態から伸縮ポンプ１３が慣性力によってさらに縮むと、ポンプ室Ｓ２から圧縮空気が通気孔Ｈ１を通って吸着室Ｓ１に送られる。
なお、バネ板１７の撓み量（撓み幅）は、伸縮ポンプ１３の伸縮量（伸縮長さ）よりも十分に大きくなるように設定される。すなわち、頭皮に吸盤１２が当たるときにバネ板１７（弁体１８）が伸縮ポンプ１３を押し下げるように頭皮側に向けて撓む。この結果、上記のように、弁体１８で通気孔Ｈ２を塞いでポンプ室Ｓ２を密閉しかつ加圧することが可能になる。【００４０】
通気孔Ｈ１を通過する圧縮空気の一部は、連結パイプ２０から薬液貯留器１９側へ入り込み、同時に薬液ノズル２０ａから薬液を若干量噴き出させる。そして、この薬液が吸着室Ｓ１に拡散し、頭皮に吹き付けられる。【００４１】
頭皮に吸盤１２を叩き付けた後、その反動を利用して柄１４を引き上げると、図７に示すように、吸盤１２が頭皮から離れる方向に上昇する。また、バネ板１７の上昇に伴い伸縮ポンプ１３が元の形状に戻ろうとするため、吸着室Ｓ１の空気をポンプ室Ｓ２に吸い上げる。この結果、吸着室Ｓ１が減圧され、吸着室Ｓ１の毛穴Ｔは、皮脂が吸い出されて若干縮んだ状態になる。
なお、図７の段階では、弁体１８は通気孔Ｈ２を塞いだままの状態に保たれる。【００４２】
図７の状態から、バネ板１７がさらに上昇すると、通気孔Ｈ２から弁体１８が引き離される。すると、図８に示すように、通気孔Ｈ２からポンプ室Ｓ２に外気が入り込み、通気孔Ｈ１を介して吸着室Ｓ１の内圧を瞬間的に上昇させる。このとき、毛穴Ｔが元の状態に戻り、同時に吸着室Ｓ１内の薬液が毛穴Ｔに入り込む。すなわち、毛穴Ｔに対して薬液の真空含浸が行われることになる。【００４３】
吸着室Ｓ１とポンプ室Ｓ２が正圧（大気圧）に戻ると、頭皮から吸盤１２を簡単に引き離すことができる。使用者は、必要に応じて、図５〜図８で示した、吸盤１２を振り上げて頭皮に叩き付ける動作を繰り返し行う。【００４４】
このように本実施形態の育毛・発毛用真空含浸具１０によれば、頭皮を吸盤１２で繰り返し叩く動作をするだけで、頭皮の毛穴に対して薬液を簡単かつ確実に浸透させることができる。弁体１８による通気孔Ｈ２の開閉は、使用者の叩く動作に伴って自動的に行われるため、使用者が何ら弁体１８の操作を意識しなくとも、適切なタイミングで弁体１８の開閉を制御することができる。【００４５】
また、本実施形態の育毛・発毛用真空含浸具１０では、伸縮ポンプ１３が吸着室Ｓ１（密閉空間）の加圧および減圧を行うため、吸着室Ｓ１の圧力変化をより大きくすることができる。これにより、毛穴から皮脂を吸い出す効果や、また減圧開放時に毛穴に薬液を含浸させる効果が高まる。
さらに、本実施形態によれば、薬液ノズル２０ａにより頭皮に薬液を霧状にして散布することができ、毛穴への薬液の浸透効果を高めることができる。また、使用者にとっても、頭皮にあらかじめ薬液を塗布することが手間がなくなり、薬液で手が汚れるといった不便も解消される。【００４６】
［第２実施形態］
本発明の第２実施形態を図９に示す。
第２実施形態の育毛・発毛用真空含浸具３０は、第１実施形態の育毛・発毛用真空含浸具の構成を簡略化し、伸縮ポンプと薬液貯留器の構成を省略したものである。
図９に示すように、吸盤１２の側方に柄１４が設けられており、柄１４の先端に芯棒１５が延びている。芯棒１５の先端の環状バンド１６は吸盤１２に締め付けられる。
芯棒１５から分岐するバネ板１７には弁体１８が設けられている。弁体１８は、吸盤１２のほぼ中央の通気孔Ｈと隙間を保ってバネ板１７により支持されている。【００４７】
育毛・発毛用真空含浸具３０を使用する場合、使用者はあらかじめ頭皮に薬液を塗布しておき、前記第１実施形態と同様に吸盤１２で頭皮を叩く。
図１０に示すように、使用者が頭皮に吸盤１２を振り上げて構えたときには、弁体１８は、吸盤１２から離れて通気孔Ｈを開放した状態にある。図１１に示すように、柄１４を振り下ろして頭皮に吸盤１２を叩き付けると、頭皮に吸盤１２が当たった瞬間にバネ板１７が慣性力によって下方に撓み、弁体１８で通気孔Ｈを塞ぐ。このとき、吸盤１２の内側の吸着室Ｓが密閉された状態になる。【００４８】
頭皮に吸盤１２を叩き付けた後、吸盤１２を頭皮から引き上げようとすると、図１２に示すように、吸盤１２が頭皮から離れる方向に上昇するため、吸着室Ｓが減圧され、頭皮の毛穴Ｔが吸引されて縮んだ状態になる。
次いで、バネ板１７がその復元力により弁体１８を上方へ持ち上げるため、通気孔Ｈが開いて吸着室Ｓに外気が入り込む。このとき、減圧状態の吸着室Ｓの内圧が瞬間的に上昇し、頭皮の薬液が毛穴に入り込むことになる（図１３参照）。【００４９】
このように第２実施形態によれば、極めて簡単な構成で、しかも、吸盤で頭皮を叩くだけの簡単な操作で頭皮の毛穴に薬液を浸透させることができる。また、伸縮ポンプ、薬液貯留器等の部品が不要になるため、製作コストを大幅に低減することができる。【００５０】
［第３実施形態］
第３実施形態の育毛・発毛用真空含浸具４０を図１４に示す。
育毛・発毛用真空含浸具４０は、第１実施形態のベローズタイプの伸縮ポンプに代えて、弾性材料からなる紡錘形の伸縮ポンプ４１を採用したものである。真空含浸具４０の使用方法については、第１実施形態の真空含浸具１０と同様である。
第３実施形態の構成によれば、前記第１実施形態と同様な効果に加え、伸縮ポンプ４１の構成が簡単になるため、製造コストの低減を図りやすくなる等の効果がある。【００５１】
［第４実施形態］
第４実施形態の育毛・発毛用真空含浸具５０を図１５に示す。第４実施形態は、前記第１実施形態および第２実施形態のバネ板に代えて、コイルスプリングを用いたものである。
育毛・発毛用真空含浸具５０は、吸盤１２の基部２１後端にコイルスプリング５１を取り付け、このコイルスプリング５１により弁体５２を支持する構成としている。コイルスプリング５１の付勢力に逆らって弁体５２が吸盤１２に当たると、通気孔Ｈを塞ぐ。一方、コイルスプリング５１の付勢力で弁体５２が吸盤１２の図１５で上方へ押し戻されると、通気孔Ｈが開く。使用者は、吸盤１２を持って直接頭皮を叩くことで、前記第２実施形態と同様に頭皮への薬液の真空含浸を行うことができる。
第４実施形態によれば、柄１４、芯棒１５、環状バンド１６およびバネ板１７の構成が不要になるため、真空含浸具の構成をよりコンパクトにすることができる。【００５２】
［第５実施形態］
第５実施形態の育毛・発毛用真空含浸具６０を図１６に示す。第５実施形態は、前記第１実施形態のバネ板１７および弁体１８を省略し、伸縮ポンプ１３の通気孔Ｈ２を手動で開閉するようにしたものである。
育毛・発毛用真空含浸具６０は、吸盤１２の基部２１後端に蛇腹（ベローズ）式の伸縮ポンプ１３が一体に固定される。基部２１の中央軸方向には通気孔Ｈ１が貫通しており、吸盤１２の吸着室Ｓ１と伸縮ポンプ１３のポンプ室Ｓ２は、通気孔Ｈ１で連通している。伸縮ポンプ１３の蓋部には、ポンプ室Ｓ２に通じる通気孔Ｈ２が開口している。【００５３】
吸盤１２の側方には、薬液貯留器１９が設けられる。吸盤１２の基部２１に薬液貯留器１９の薬液を通気孔Ｈ１へ導く連結パイプ２０が貫通している。通気孔Ｈ１に開口する連結パイプ２０の先端部には、薬液を通気孔Ｈ１に吐出可能な薬液ノズル２０ａが設けられている。【００５４】
育毛・発毛用真空含浸具６０を使用する場合、図１６に示すように、まず、薬液貯留器１９に適量の薬液を充填し、頭皮に吸盤１２を当てる。次いで、図１７に示すように、伸縮ポンプ１３の通気孔Ｈ２を手で塞いで伸縮ポンプ１３と吸盤１２とを頭皮に向けて押し付け、ポンプ室Ｓ２および吸着室Ｓ１の空気を押し出す。【００５５】
なお、この押圧操作は、ポンプ室Ｓ２からの圧縮空気が通気孔Ｈ１を勢いよく通過するように比較的強い力で行う。これにより、通気孔Ｈ１を通過する圧縮空気流が連結パイプ２０から薬液貯留器１９側に入り込み、薬液ノズル２０ａから薬液の一部を吐出させる。そして、この薬液が吸着室Ｓ１に拡散し、頭皮に吹き付けられる。【００５６】
図１７の状態から使用者が伸縮ポンプ１３を引き上げると、図１８に示すように、吸着室Ｓ１およびポンプ室Ｓ２が拡大して減圧度が上昇する。そして、吸着室Ｓ１では、頭皮の毛穴Ｔから皮脂等が吸い出される。このとき、ポンプ室Ｓ２も減圧状態に保たれるため、通気孔Ｈ２に使用者の手が吸い付いたままになる。【００５７】
吸着室Ｓ１およびポンプ室Ｓ２の減圧度を十分に高めた後、図１９に示すように、使用者の手を通気孔Ｈ２から引き離すと、通気孔Ｈ２から外気が勢いよくポンプ室Ｓ２および吸着室Ｓ１に入り込み、これらの空間の内圧が瞬時に正圧（大気圧）に戻る。このとき、頭皮の毛穴Ｔが縮んだ状態から元の状態に戻り、同時に吸着室Ｓ１内の薬液が毛穴Ｔに吸い込まれる。【００５８】
このように第５実施形態の育毛・発毛用真空含浸具６０によれば、使用者が伸縮ポンプ１３および吸盤１２の押し付け操作と引き上げ操作とを交互に行うことにより、適切なタイミングで減圧開放を行うことができ、簡単に頭皮の毛穴に薬液を真空含浸させることができる。
また、通気孔Ｈ１の圧縮空気を利用して薬液ノズル２０ａから薬液を吸着室Ｓ１に送り込むため、薬液の供給量にバラツキが少なくなる。さらに、使用者が頭皮に薬液を塗布する手間がいらず、薬液で手を汚しにくくなる。さらに、コンパクトで簡単な構成であるので、製造コストの抑えやすいといった利点もある。【００５９】
［皮膚浸透性試験］
医薬品や化粧品などの皮膚外用剤において、その有効成分の効果を十分に発揮させるためには、皮膚への経皮吸収性を向上させることが課題となる。
しかしながら、皮膚の角質層は、疎水的な細胞間脂質と親水性的なケラチン蛋白質の層構造からなるバリア機能を有しているため、外部からの薬物の経皮吸収は著しく制限される。
従来、有効成分の経皮吸収性を向上させるために、経皮吸収促進剤を利用する方法や超音波・電気などを利用する方法など多くの研究が行われているが、これらの手段は角質層のバリア機能を破綻させたり、複雑な機械を利用しなければならないといった点から現実的とはいえない。
本発明の経皮吸収用真空含浸具によれば、皮膚に対する薬液の浸透性を簡単な操作で効率的に高めることができる。真空含浸具による皮膚浸透性を確認するための試験例を以下に示す。【００６０】
(1)試験用含浸具
試験用含浸具には通気孔付き吸盤を用いた。通気孔付き吸盤は、前記第１〜５実施形態に含まれる吸盤と同様の構成のもので、その中央に円形の基部を有し、基部の外周にスカート部を備えており、基部の中央軸方向に貫通孔を有するタイプのものである（図２０および２１参照）。【００６１】
(2)試料
経皮投与する試料としては、肝機能代謝の検査用試薬として静脈注射に使用されたり、近年の眼科白内障手術に使用されているインドシアニン・グリーン（ICG：参天製薬社製）を用いた。50％エタノール水溶液を溶媒に用いて３０mg/mlの濃度のICG溶液を作製し、試験に使用した。【００６２】
(3)試験用皮膚
試験用の皮膚組織には、ヒトの皮膚に比較的近い構造をしており、皮膚透過性の予測に有用であることが既に報告されているYucatan micropigの皮膚を用いた。Yucatan micropigの５ヶ月齢の雌性、背部皮膚を試験用皮膚とした。【００６３】
(4)試験方法
１０cm×１０cm切片のYucatan micropigの皮膚中央に、２００μlのICG溶液を塗付し、１分間静置した。その後、試験用皮膚に試験用含浸具を加圧する操作（図２０参照）と、試験用含浸具の通気孔を開放する操作（図２１参照）とを順に行い、これらの加圧・開放操作を５回および１０回を繰り返した。なお、１分間静置して加圧しなかったものをコントロールとした。
加圧・開放操作の後、直ちに皮膚を５mm角に切り出して４%等張緩衝パラホルムアルデヒド溶液（pH7.4）にて一晩浸漬固定した。固定終了後、リン酸緩衝液（PBS：pH7.4）で洗浄し、OCT compound〔Tissue-Tek〕にて凍結包埋を行い、クリオスタットで薄切（10μm厚）してシランコートスライドガラスに貼付し、冷風下で直ちに乾燥させた。その後、水溶性封入剤で封入し、蛍光顕微鏡観察（倍率４０倍）および画像解析を行った。【００６４】
(6)結果
ICGの皮膚浸透性の変化を図２２に示した。図２２において、「ＤＩＣＩ」は微分干渉コントラストイメージ（Differential interference contrast image）を示し、「ＦＩ」は蛍光イメージ（Fluorescence image）を示す。
コントロールではICGの皮膚浸透は観察されなかったのに対し、操作回数が増加するほどICGの皮膚浸透性は増大し、５回では表皮層、１０回では真皮層までICGが浸透しているのが観察された。表皮層および真皮層におけるICGの浸透量について、画像解析ソフトにて解析したところ、表皮層および真皮層ともに操作回数に比例してICGの皮膚浸透量が増大しているのが確認できた。【００６５】
以上の結果から、本発明の真空含浸具によれば、皮膚に薬液を直接浸透させる効果があることが判る。また、真空含浸具の操作回数を増やす程、皮膚浸透性を増大させることができる。
なお、前述の皮膚浸透試験では、通気孔付き吸盤を単体で使用する試験用含浸具を使用したが、経皮吸収を促進する器具（経皮吸収用真空含浸具）として第１〜第５実施形態と同様な構成の真空含浸具を使用することもできる。これらの構成の真空含浸具を用いれば、より簡単な操作で効率よく皮膚への薬液の浸透を行うことが可能になる。
【図１】
2005061042.tif 000002
【図２】
2005061042.tif 000003
【図３】
2005061042.tif 000004
【図４】
2005061042.tif 000005
【図５】
2005061042.tif 000006
【図６】
2005061042.tif 000007
【図７】
2005061042.tif 000008
【図８】
2005061042.tif 000009
【図９】
2005061042.tif 000010
【図１０】
2005061042.tif 000011
【図１１】
2005061042.tif 000012
【図１２】
2005061042.tif 000013
【図１３】
2005061042.tif 000014
【図１４】
2005061042.tif 000015
【図１５】
2005061042.tif 000016
【図１６】
2005061042.tif 000017
【図１７】
2005061042.tif 000018
【図１８】
2005061042.tif 000019
【図１９】
2005061042.tif 000020
【図２０】
2005061042.tif 000021
【図２１】
2005061042.tif 000022
【図２２】
2005061042.tif 000023
【手続補正書】
【提出日】平成18年6月8日(2006.6.8)
【手続補正１】
【補正対象書類名】特許請求の範囲
【補正対象項目名】全文
【補正方法】変更
【補正の内容】
【特許請求の範囲】
【請求項１】
基部とスカート部とからなる吸盤を有し、この吸盤の基部またはその周辺部に、吸盤の内側と外側とを貫通する通気孔を備えた育毛・発毛用真空含浸具において、
前記吸盤の外側であって前記通気孔の開口部に設けられる弁体と、
前記通気孔を開閉可能に前記弁体を支持するバネ材とを備え、
前記弁体は、前記頭皮に前記吸盤を叩き付けるときの前記弁体の慣性力により前記バネ材の付勢力に逆らって前記通気孔を閉じ、かつ、前記頭皮から前記吸盤を引き上げるときの前記バネ材の復元力により前記通気孔を開くことを特徴とする、育毛・発毛用真空含浸具。
【請求項２】
請求項１記載の育毛・発毛用真空含浸具の構成を有するものであって、
前記通気孔を介して前記密閉空間に連通する伸縮ポンプを備えており、
前記伸縮ポンプは、前記頭皮に前記吸盤を叩き付けるときの前記伸縮ポンプの慣性力により縮んで前記密閉空間に圧縮空気を送り、かつ、前記頭皮から前記吸盤を引き上げるときの前記伸縮ポンプの復元力によって前記密閉空間の空気を吸い出すことを特徴とする、育毛・発毛用真空含浸具。
【請求項３】
請求項２記載の育毛・発毛用真空含浸具の構成を有するものであって、
薬液貯留器と、
この薬液貯留器の薬液を前記通気孔に導く連結パイプとを備えており、
前記通気孔に開口する前記連結パイプの先端部には、前記伸縮ポンプの圧縮空気により前記密閉空間に向けて薬液を吐出可能な薬液ノズルが設けられることを特徴とする、育毛・発毛用真空含浸具。
【請求項４】
基部とスカート部とからなる吸盤を有し、この吸盤の基部またはその周辺部に、吸盤の内側と外側とを貫通する通気孔を備えた育毛・発毛用真空含浸具において、
前記通気孔を介して前記密閉空間に連通する伸縮ポンプを備えており、
前記伸縮ポンプは、前記頭皮に前記吸盤を叩き付けるときの前記伸縮ポンプの慣性力により縮んで前記密閉空間に圧縮空気を送り、かつ、前記頭皮から前記吸盤を引き上げるときの前記伸縮ポンプの復元力によって前記密閉空間の空気を吸い出すことを特徴とする、育毛・発毛用真空含浸具。
【請求項５】
請求項４記載の育毛・発毛用真空含浸具の構成を有するものであって、
薬液貯留器と、
この薬液貯留器の薬液を前記通気孔に導く連結パイプとを備えており、
前記通気孔に開口する前記連結パイプの先端部には、前記伸縮ポンプの圧縮空気により前記密閉空間に向けて薬液を吐出可能な薬液ノズルが設けられることを特徴とする、育毛・発毛用真空含浸具。
【請求項６】
基部とスカート部とからなる吸盤を有し、この吸盤の基部またはその周辺部に、吸盤の内側と外側とを貫通する通気孔を備えた経皮吸収用真空含浸具であって、
前記吸盤の外側であって前記通気孔の開口部に設けられる弁体と、
前記通気孔を開閉可能に前記弁体を支持するバネ材とを備え、
前記弁体は、前記頭皮に前記吸盤を叩き付けるときの前記弁体の慣性力により前記バネ材の付勢力に逆らって前記通気孔を閉じ、かつ、前記頭皮から前記吸盤を引き上げるときの前記バネ材の復元力により前記通気孔を開くことを特徴とする、経皮吸収用真空含浸具。
【請求項７】
請求項６記載の経皮吸収用真空含浸具の構成を有するものであって、
前記通気孔を介して前記密閉空間に連通する伸縮ポンプを備えており、
前記伸縮ポンプは、前記頭皮に前記吸盤を叩き付けるときの前記伸縮ポンプの慣性力により縮んで前記密閉空間に圧縮空気を送り、かつ、前記頭皮から前記吸盤を引き上げるときの前記伸縮ポンプの復元力によって前記密閉空間の空気を吸い出すことを特徴とする、経皮吸収用真空含浸具。
【請求項８】
請求項７記載の経皮吸収用真空含浸具の構成を有するものであって、
薬液貯留器と、
この薬液貯留器の薬液を前記通気孔に導く連結パイプとを備えており、
前記通気孔に開口する前記連結パイプの先端部には、前記伸縮ポンプの圧縮空気により前記密閉空間に向けて薬液を吐出可能な薬液ノズルが設けられることを特徴とする、経皮吸収用真空含浸具。
【請求項９】
基部とスカート部とからなる吸盤を有し、この吸盤の基部またはその周辺部に、吸盤の内側と外側とを貫通する通気孔を備えた経皮吸収用真空含浸具であって、
前記通気孔を介して前記密閉空間に連通する伸縮ポンプを備えており、
前記伸縮ポンプは、前記頭皮に前記吸盤を叩き付けるときの前記伸縮ポンプの慣性力により縮んで前記密閉空間に圧縮空気を送り、かつ、前記頭皮から前記吸盤を引き上げるときの前記伸縮ポンプの復元力によって前記密閉空間の空気を吸い出すことを特徴とする、経皮吸収用真空含浸具。
【請求項１０】
請求項９記載の経皮吸収用真空含浸具の構成を有するものであって、
薬液貯留器と、
この薬液貯留器の薬液を前記通気孔に導く連結パイプとを備えており、
前記通気孔に開口する前記連結パイプの先端部には、前記伸縮ポンプの圧縮空気により前記密閉空間に向けて薬液を吐出可能な薬液ノズルが設けられることを特徴とする、経皮吸収用真空含浸具。
【国際調査報告】
2005061042.tif 000024
2005061042.tif 000025